(57)【特許請求の範囲】
【請求項１】
フレーム脚から組み立てられた直方体状のフレーム枠を備えた配電盤キャビネットであって、仮想外部角隅縁部の領域に、互いに当接していて２つの壁部から成る被覆エレメントの屈曲した縁部を収容するための自由空間が形成されている形式のものにおいて、
少なくとも垂直方向の被覆エレメントの外壁（２０ａ，２０ａ′）の屈曲した縁部が、２つの屈曲区分（２２，２３）から形成されており、
被覆エレメントの内壁（２０ｉ，２０ｉ′）の内側（２１）が、外部平面（１３，１４）において直接に又はシールエレメントを介して、フレーム枠（１０）のフレーム脚（１１）の成形材当接側（１７，１８）に当接しており、前記内壁が、外壁（２０ａ，２０ａ′）の端部の屈曲区分（２２）の手前で屈曲区分（２３）の内側（２１）に結合されており、
外壁（２０ａ，２０ａ′）の端部屈曲区分（２２）が、互いに交わる外部平面（１３，１４）の角度二等分線（１６）に対して平行に延びており、前記端部の屈曲区分（２２）の外側（２４）が、角度二等分線（１６）に対して所定の間隔（ａ／２）を置いて位置していることを特徴とする、配電盤キャビネット。
【請求項２】
前記被覆エレメントの内壁（２０ｉ，２０ｉ′）がフレーム枠（１０）の自由空間の領域において外壁（２０ａ，２０ａ′）の屈曲区分（２３）に向かって屈曲されており（２５）、前記内壁の結合区分が、外壁（２０ａ，２０ａ′）の屈曲区分（２３）の内側に固定されている、請求項１記載の配電盤キャビネット。
【請求項３】
前記外壁（２０ａ，２０ａ′）の端部屈曲区分（２２）が、仮想外部角隅縁部（１５）の領域を起点として、少なくとも自由空間（１２）の大部分に亘って延びている、請求項１又は２記載の配電盤キャビネット。
【請求項４】
前記端部の屈曲区分（２２）の外側（２４）と、角度二等分線（１６）との間の所定の間隔（ａ／２）が、被覆エレメントの内壁及び外壁（２０ｉ，２０ｉ′及び２０ａ，２０ａ′）の厚さよりも小さい、請求項１から３までのいずれか１項記載の配電盤キャビネット。
【請求項５】
前記互いに当接する被覆エレメントの内壁（２０ｉ；２０ｉ′）の内側（２１）の平面が、仮想外部角隅縁部（１５）において交差している、請求項１から４までのいずれか１項記載の配電盤キャビネット。
【請求項６】
前記外壁（２０ａ，２０ａ′）の屈曲区分（２３）が複数の屈曲区分を介して端部屈曲区分（２２）に移行している、請求項１から４までのいずれか１項記載の配電盤キャビネット。
【請求項７】
前記２つの壁部から成る被覆エレメントの中空室が、耐火性及び／又は防音性の材料で充填されている、請求項１から６までのいずれか１項記載の配電盤キャビネット。
【請求項８】
前記外壁（２０ａ，２０ａ′）が全ての４つの側に、前記屈曲区分（２２，２３）を有しており、これらの屈曲区分が、被覆エレメントの角隅の領域において、段付けされた縁部エッジに移行しており、該縁部エッジが、被覆エレメントの角度二等分線の平面に位置していてかつ互いに結合されている、請求項１から７までのいずれか１項記載の配電盤キャビネット。
【請求項９】
２つの壁部から成る少なくとも１つの被覆エレメントが、キャビネットドアとして形成されていて、一方の垂直側においてヒンジエレメントによってフレーム枠（１０）に枢着されている、請求項１から８までのいずれか１項記載の配電盤キャビネット。
【請求項１０】
前記キャビネットドアが、前記外壁（２０ａ′）の屈曲区分（２２，２３）の内側でかつ内壁（２０ｉ）の外側にヒンジエレメントを支持しており、該ヒンジエレメントが、対抗ヒンジエレメントに連結されており、該対抗ヒンジエレメントが、フレーム脚（１１）の自由空間において該フレーム脚の成形材側に取り付けられており、対向した垂直側に閉鎖エレメント及び対抗閉鎖エレメントが配置されかつ取り付けられている、請求項９記載の配電盤キャビネット。
【請求項１１】
前記外壁（２０ａ，２０ａ′）の端部屈曲区分（２２，２２′）が、自由端部において内壁（２０ｉ，２０ｉ′）の内側（２１）に向かって屈曲されている、請求項１から１０までのいずれか１項記載の配電盤キャビネット。
【請求項１２】
少なくとも垂直方向の被覆エレメント及びキャビネットドアが、水平側において、外壁（２０ａ，２０ａ′）の屈曲区分に通気開口を有しているか又は屈曲されていない、請求項１から１１までのいずれか１項記載の配電盤キャビネット。
【発明の詳細な説明】
【０００１】
【発明の属する技術分野】
本発明は、フレーム脚から組み立てられた直方体状のフレーム枠を備えた配電盤キャビネットであって、外部角隅縁部の領域に、２つの壁部から成る互いに当接する被覆エレメントの屈曲した縁部を収容するための自由空間が形成されている形式のものに関する。
【０００２】
【従来の技術】
配電盤キャビネット内室に収容された構成エレメント、構成群及び同様のものを、火炎、盗難、破壊行為及び同様のものから保護するために、フレーム枠の側部は、２つの壁部から成る被覆エレメントによってますます閉鎖される。この場合、特に外部角隅縁部の領域において、被覆エレメントをこじ開けるために工具を当て付けることを困難又は不可能にすることが重要である。被覆エレメント及びキャビネットドアの２つの壁部から成る構成は、配電盤キャビネットが戸外に配置されている場合には太陽光線による配電盤キャビネット内室の加熱をも防止する。
【０００３】
【発明が解決しようとする課題】
本発明の課題は、冒頭に述べた形式の配電盤キャビネットを改良して、互いに直角に当接する被覆エレメントの領域、すなわち外部角隅縁部の領域において、フレーム枠における２つの壁部から成る被覆エレメントの構成及び取付けを不必要に困難にすることなしに、破壊行為に対するより高い安全性を備えた、所属の角度二等分線に対して対称的な移行部を提供することである。
【０００４】
【課題を解決するための手段】
この課題を解決するために本発明の構成では、垂直方向の被覆エレメントの外壁の少なくとも屈曲した縁部が、２つの屈曲区分から形成されており、被覆エレメントの内壁の内側が、外部平面において直接に又はシールエレメントを介して、フレーム枠のフレーム脚の成形材当接側に当接しており、前記内壁が、外壁の端部屈曲部の手前で屈曲部の内側に結合されており、外壁の端部屈曲区分が、互いに交わる外部平面の角度二等分線に対して平行に延びており、前記端部屈曲区分の外縁部が、角度二等分線に対して所定の間隔を置いて位置しているようにした。
【０００５】
【発明の効果】
互いに当接する被覆エレメントの外壁の縁部の端部屈曲区分は、全ての垂直方向の被覆エレメントの領域における全ての外部角隅縁部の領域において、外部角隅縁部に対して対称的な移行部と、狭幅なギャップとを形成しており、このギャップには被覆エレメントのこじ開けのための工具を、所要の力が有効に被覆エレメントに伝達されることができるように導入又は当付けすることはできない。フレーム枠の外部平面の領域における被覆エレメントの成形材当接側を介した当接及び取付けは、これによって悪影響を受けない。これにより、外部角隅縁部の領域における被覆エレメントの移行部は、十分に閉鎖されており、破壊行為に対して保護されている。
【０００６】
被覆エレメント及びキャビネットドアは統一して屈曲されており、全ての垂直方向の外部角隅縁部の領域における外観を変化させることなしにフレーム枠の垂直側において任意に組み合わされることができる。
【０００７】
別の構成によれば、被覆エレメントの内壁がフレーム枠の所属の自由空間の領域において外壁の屈曲部に向かって屈曲されていて、結合区分によって、外壁の屈曲部の内側に固定されており、さらに、内壁は、互いに当接した被覆エレメントの端部屈曲区分の間のギャップに接触することなく外壁に堅く結合されることができる。さらに、被覆エレメントは中空室を取り囲んでおり、この中空室は、耐火性及び／又は防音性の材料で充填されることができる。
【０００８】
ギャップができるだけ深くかつ狭幅に維持されることができるように、外壁の端部屈曲区分が仮想外部角隅縁部を起点として少なくとも自由空間の大部分に亘って延びており、また、端部屈曲区分の外側と所属の角度二等分線との間の所定の間隔が、被覆エレメントの内壁及び外壁の厚さよりも小さく形成されている。
【０００９】
被覆エレメントとフレーム枠との結合は、１つの構成によれば、互いに当接する被覆エレメントの内壁の内側の平面が、所属の仮想外部角隅縁部において交差するように行われる。さらに、内壁はフレーム脚の成形材当接側の外縁部に当て付けられ、この外縁部と結合されることができる。
【００１０】
被覆エレメントの、互いに直角に当接する外壁の間の移行部は、種々異なる構成を有するように、外壁の屈曲区分が、複数の屈曲区分を介して端部屈曲区分に移行するように形成することもできる。
【００１１】
以下のような場合には全ての水平及び垂直方向の外部角隅縁部を同様に形成することができる。すなわち、外壁が全ての４つの側においてこのように屈曲された縁部若しくは屈曲区分を有しており、これらの屈曲区分が被覆エレメントの角隅の領域において、相応に段付けされた縁部エッジに移行しており、この縁部エッジが、被覆エレメントの角度二等分線の平面に位置していてかつ有利には互いに結合されている場合である。
【００１２】
配電盤キャビネット内室へのアクセスのために、２つの壁部から成る少なくとも１つの被覆エレメントがキャビネットドアとして形成されており、このキャビネットドアの垂直側がヒンジエレメントによってフレーム枠に枢着されている。この場合、キャビネットドアの枢着及び閉鎖のために、キャビネットドアは、外壁の屈曲部の内側でかつ内壁の外側においてヒンジエレメントを支持しており、ヒンジエレメントは対抗ヒンジエレメントに連結されており、対抗ヒンジエレメントは、所属のフレーム脚の自由空間において、フレーム脚の成形材側に固定されており、対向した垂直側には相応の閉鎖エレメント及び対抗閉鎖エレメントが配置及び固定されている。
【００１３】
【発明の実施の形態】
配電盤キャビネットの垂直方向の角隅領域の水平方向部分断面図に基づき本発明を更に詳しく説明する。
【００１４】
フレーム枠１０の水平及び垂直方向の仮想外部角隅縁部１５のそれぞれの領域において、このような横断面が確認されることができる。しかしながら、垂直方向の外部角隅縁部においてのみ被覆エレメントの側部がこのように形成されていることもできる。
【００１５】
フレーム枠１０のフレーム脚１１は、外部角隅縁部１５に向かって、被覆エレメントの屈曲部のための自由空間１２を形成している。外部平面１３，１４は、フレーム脚１１の成形材当接側１７，１８の外縁若しくは外側２４によって規定される。フレーム脚１１は、外部角隅縁部１５の領域において互いに直角に当接する被覆エレメントの外部平面１３，１４の間の角度二等分線に対して鏡面対称的である。
【００１６】
被覆エレメントは、内壁２０ｉ，２０ｉ′と外壁２０ａ，２０ａ′とによって２つの壁部から形成されていて、中空室を取り囲んでおり、この中空室は耐火性及び／又は防音性材料又は同様のもので充填することができる。
【００１７】
内壁２０ｉ，２０ｉ′の内側２１は、フレーム枠１０の対応する外部平面１３，１４に位置している。外壁２０ａ，２０ａ′は内壁２０ｉ，２０ｉ′に対して所定の間隔を置いて延びている。縁部領域において、外壁２０ａ，２０ａ′は、屈曲区分２３，２２が示すように、対応する外部角隅縁部に向かって屈曲されている。外部角隅縁部１５の領域から、端部屈曲区分２２が、角度二等分線１６に対して平行にかつこの角度二等分線から所定の間隔ａ／２を置いて自由空間１２へ延びている。両外壁２０ａ，２０ａ′の両端部屈曲区分２２は、狭幅なギャップを形成しており、このギャップは、外部角隅縁部１５を起点として自由空間１２へ延びている。このギャップは幅ａを有しており、この幅ａは内壁２０ｉ，２０ｉ′及び外壁２０ａ，２０ａ′の厚さＤよりも小さいと有利である。外壁２０ａ，２０ａ′と端部屈曲区分２２との間の屈曲区分２３は、複数の屈曲区分を有することもできる。しかしながら、この移行部は常に前述の方向で端部屈曲区分２２へ延びている。内壁２０ｉ，２０ｉ′は、自由空間１２までフレーム枠１１の成形材当接側１７，１８に沿って延びており、この後屈曲区分２３の内側に向かって屈曲されていて、結合区分２５として延びており、この結合区分２５は外壁２０ａ，２０ａ′の屈曲区分２３と結合されている。これにより、端部屈曲区分２２の内側と屈曲区分２３との間の空間が開放され、被覆エレメントをキャビネットドアとして形成する場合に、ヒンジエレメント及び対抗ヒンジエレメント並びに閉鎖エレメント及び対抗閉鎖エレメントを収容するための十分な場所が提供されている。
【００１８】
フレーム枠１０の全ての水平方向及び垂直方向の外部角隅縁部１５がこのように形成されているならば、内壁２０ｉ，２０ｉ′及び外壁２０ａ，２０ａ′の全ての側に、相応の屈曲区分２３及び端部屈曲区分２２が設けられることができる。しかしながら、垂直方向の被覆エレメントの垂直側のみを相応に設計するだけでも十分であることができる。
【００１９】
図面の部分断面が示すように、内壁２０ｉ，２０ｉ′の屈曲部は外部角隅縁部１５に向かって又は外部角隅縁部１５から離れる方向に延びていることができる。この屈曲部の端部に設けられた結合区分２５は、外壁２０ａ，２０ａ′の屈曲区分２３に対して平行に延びていて、屈曲区分の内側に結合、例えば溶接されている。
【００２０】
外壁２０ａ，２０ａ′の端部屈曲区分２２，２２′は、さらに自由端部において、対応配置された内壁２０ｉ，２０ｉ′の内側２１に向かって屈曲されていることができる。
【００２１】
さらに、少なくとも垂直方向の被覆エレメント及びキャビネットドアが、水平側において、外壁２０ａ，２０ａ′の屈曲部に通気口を有しているか、又は屈曲されずに、被覆エレメント及びキャビネットドアを、通気のために使用することもできる。
【図面の簡単な説明】
【図１】配電盤キャビネットの垂直方向の角隅領域の水平方向部分断面図である。
【符号の説明】
１０  フレーム枠、  １１  フレーム脚、  １２  自由空間、  １３，１４  外部平面、  １５  外部角隅縁部、  １６  角度二等分線、  １７，１８  成形材当接側、  ２０ａ，２０ａ′  外壁、  ２０ｉ，２０ｉ′  内壁、  ２２，２３  屈曲区分、  ２２  端部屈曲区分、  ２４  外側
【図１】
0003995080.tif 000002